(57)【要約】  【課題】  電子棚札システムにおける電子棚札の棚札コードと商品コードをリンクさせる作業を、専用機器を使用することなく、簡単に行うことができる電子棚札を提供する。  【解決手段】  商品の価格を表示する表示器９と、前記表示器に表示する情報を管理する管理装置と通信する通信部と、前記液晶表示器に表示される対応商品の品名又は商品を識別するバーコードが印字された商品シート１１と、前記表示器を識別する固有の棚札コードがバーコード印字された棚札シート１２と、を備えた電子棚札３において、前記商品シート１１と棚札シート１２を、前記表示器９の表示面と同じ側に配置し、且つ前記商品シート１１を前記棚札シート１２の上に平面視重なり合うように配置した。  【選択図】    図４
2008161297.tif 000002
【特許請求の範囲】
【請求項１】
商品の価格を表示する表示器と、前記表示器に表示する情報を管理する管理装置と通信する通信部と、前記表示器に表示される対応商品の品名又は商品を識別するバーコードが印字された商品シートと、前記表示器を識別する固有の棚札コードがバーコード印字された棚札シートと、を備えた電子棚札において、
前記商品シートと棚札シートを、前記表示器の表示面と同じ側に配置し、且つ前記商品シートを前記棚札シートの上に平面視重なり合うように配置したことを特徴とする電子棚札。
【請求項２】
前記商品シート及び棚札シートは、ラベルであることを特徴とする請求項1記載の電子棚札。
【請求項３】
前記商品シートと棚札シートの重なり配置は、前記表示器の厚さ方向に段差部を形成し、該段差部の底面に棚札シートを配置し、段差部の上面に商品シートを配置したことを特徴とする請求項1記載の電子棚札。
【請求項４】
前記段差部は、前記棚札シートが収まる横長形態であることを特徴とする請求項３記載の電子棚札。
【請求項５】
前記請求項１乃至４の何れか１項記載の電子棚札を、商品陳列棚に商品毎に装着し、電子棚札に管理装置からの指示により商品の値段等を表示し、当該棚札に表示する商品を変更する場合、該電子棚札の表面に配置されている商品シートを外し、それにより現出する棚札シートの棚札コードを読み取り、更に新しい商品の商品情報を読み取って、新しい商品情報と棚札コードをリンク付けするリンク付け手段と、該リンク付け手段に基づき前記新しい商品の商品情報の商品シートを発行指示する制御する制御手段と、からなることを特徴とする電子棚札システム。
【発明の詳細な説明】
【技術分野】
【０００１】
本発明は、スーパーマーケットやコンビニエンスストアー等の店舗において、商品陳列棚の陳列商品毎に装着して、対応商品の値段等を電子的に表示する電子棚札、及びこれを用いた電子棚札システムに関する。
【背景技術】
【０００２】
近年、スーパーマーケットやコンビニエンスストアー等の店舗においては、商品陳列棚の陳列商品毎に装着する値札に表示する商品の値段等を、電子的に表示する電子棚札システムが採用されている。
その電子棚札システムに使用される各電子棚札には、どの棚札であるかを示す棚札固有の棚札コードが設けられており、当該システムの管理装置から各種情報、例えば売価変更情報を送信する場合においても、該電子棚札に表示される商品の商品コードと該棚札コードとをリンク（関連付け）させておく必要がある。
【０００３】
そして、例えば当該電子棚札に表示する商品が変わった場合には、前記商品コードと棚札コードのリンクを変更する作業が生じる。
そのリンク変更の作業に必要となる棚札コードは、例えば特許文献１には、棚札固有のＥＳＬ（Electronic  Shelf  Label）コードが電子棚札の裏面に印字されていることが示されている。このような場合、前記リンク変更の設定作業を行う場合、電子棚札を商品陳列棚から取り外し、その取り外した電子棚札の裏面に印字されているＥＳＬコードを携帯端末で読み取って作業を行わなければならず、煩雑な作業が必要であった。
【０００４】
又、商品陳列棚から電子棚札を取り外さずに商品コードと棚札コードを関連付けるリンク作業を行う手段として、各電子棚札固有の棚札コードを予め電子棚札へ電子的に書き込んでおき、電子棚札が商品陳列棚に装着された状態で、読み取り機能の付いた携帯端末にて、新たな商品コードを読み、その後、電子棚札に記憶されている棚札コードを読み出すことで、新たな商品コードと棚札コードとをリンクさせることができる。
【０００５】
しかしながら、この場合、各電子棚札固有の棚札コードを予め電子棚札へ電子的に書き込んでおく為の書き込み機能を有する専用機器が必要になるという問題がある。
【０００６】
前記電子棚札固有のＥＳＬコードを、該電子棚札を商品陳列棚から外さずに読み取るようにする為の方法として、前記ＥＳＬコードを電子棚札の前面（液晶表示器の表示側と同じ面）に表示することが考えられるが、現在普及している電子棚札には前記ＥＳＬコードを表示するスペースがなく、従って、ＥＳＬコードを前面に表示する為には電子棚札のサイズ（ケースのサイズ）を大きくしなければならないという問題点が存在する。
【０００７】
【特許文献１】特開２０００−２８７７９８号公報
【発明の開示】
【発明が解決しようとする課題】
【０００８】
本発明は上記した従来の技術が有する問題点に鑑みてなされたもので、電子棚札システムにおける電子棚札の棚札コードと商品コードをリンクさせる作業を、専用機器を使用することなく、簡単に行うことができる電子棚札を提供することを目的とする。
又、他の目的は、電子棚札のサイズを大きくすることなく、商品陳列棚から電子棚札を外さずにリンク作業ができる電子棚札を提供する。
【課題を解決するための手段】
【０００９】
上記目的を達成する為に本発明の電子棚札は、商品の価格を表示する表示器と、前記表示器に表示する情報を管理する管理装置と通信する通信部と、前記表示器に表示される対応商品の品名又は商品を識別するバーコードが印字された商品シートと、前記表示器を識別する固有の棚札コードがバーコード印字された棚札シートと、を備えた電子棚札において、前記商品シートと棚札シートを、前記表示器の表示面と同じ側に配置し、且つ前記商品シートを前記棚札シートの上に平面視重なり合うように配置したことを特徴とする（請求項１）。
前記商品シート及び棚札シートに表示するバーコードは、ＪＡＮコード、二次元バーコード等、その体系は問わない。
前記表示器としては、例えば、７セグメント表示器、液晶表示器、ＥＬ表示器、電子ペーパー等が挙げられる。
前記商品シート及び棚札シートの形態としては、電子棚札のケースに対して貼着し得るように接着面を有したラベルの形態（請求項２）、或いは接着面を備えないラベル（カード）の形態など、何れでもよい。但し、棚札シートは電子棚札と一体化している必要があるため、電子棚札との固着手段を有するのが好ましい。
又、商品シートと棚札シートの重なりは、シート全体が重なり合う形態、或いはシートの一部が重なり合う形態、の何れでもよい。
【００１０】
上記手段によれば、表示器の表示面と同じ側に、商品シートが棚札シートの上に重なるように配置されているため、上位に位置する商品シートを除去することで棚札シートの表示面が露出する。従って、電子棚札を商品陳列棚から取り外さずに装着された状態のままで、該電子棚札の棚札コードを読み取ることができ、商品情報、棚札コードをバーコード化して、それぞれのバーコード情報を読み取るという一般的な装置にてリンクさせるデータを得ることができるので、棚札コードを予め電子棚札に電子的に記憶させるような専用装置を不要にすることができる。
【００１１】
前記商品シートと棚札シートの重なり配置は、例えば、前記表示器の厚さ方向に段差部を形成し、該段差部の底面に棚札シートを配置し、段差部の上面に商品シートを配置する構成が挙げられる（請求項３）。尚、商品シートと棚札シートの重なり配置は、表示器を収容するケースの表面に二枚重ねて貼付する
そして、前記段差部は、前記棚札シートが収まる形態、例えば、棚札シートに表示される棚札コード（バーコード）が収まる横長形態とする（請求項４）。
【００１２】
上記手段によれば、商品シート（商品ラベル）と棚札シート（棚札ラベル）を分離して効率よく重ね配置することができる。そして、段差部の上面に配置する商品シートは貼着しても、或いは貼着せずに単に収容配置してもよく、着脱可能な装着とした場合は、電子棚札に表示する商品を変更する場合の商品シートの交換を簡単に行うことができる。
【００１３】
そして、前記電子棚札を用いた電子棚札システムは、電子棚札を商品陳列棚に商品毎に装着し、該電子棚札に管理装置からの指示により商品の値段等を表示し、当該棚札に表示する商品を変更する場合、該電子棚札の表面に配置されている商品シートを外し、それにより現出する棚札シートの棚札コードを読み取り、更に新しい商品の商品情報を読み取って、新しい商品情報をリンク付けするリンク付け手段と、該リンク付け手段に基づき前記新しい商品の商品情報の商品シートを発行指示する制御する制御手段と、からなることを特徴とする（請求項５）。
上記手段によれば、当該棚札に表示する商品を変更する場合、該電子棚札の表面に配置されている商品シートを外し、それにより現出する棚札シートの棚札コードを読み取り、更に新しい商品の商品情報を読み取って、新しい商品情報と棚札コードをリンク付けすることができ、新しい商品の商品シートも発行されるよう制御されるので、操作性が良くなる。
【発明の効果】
【００１４】
本発明の電子棚札は請求項１、２に記載の構成により、商品シートを電子棚札から除去することで棚札シートを露出させることができる。しかも、商品シートと棚札シートを重ねて配置することで、電子棚札のサイズを大きくすることなく、既存のサイズのままで棚札シートを前面から確認し得る状態に配置することができる。従って、電子棚札を商品陳列棚から取り外すことなく、商品陳列棚に装着したままで商品と電子棚札とをリンク付けする作業が可能となる。
又、商品情報、棚札コードをバーコード化して、それぞれのバーコード情報を読み取るという一般的な装置にてリンクさせるデータを得ることができるので、棚札コードを予め電子棚札に電子的に記憶させるような専用装置を不要にすることができる。
そして、請求項３記載の構成とした場合は、商品シート（商品ラベル）と棚札シート（棚札ラベル）を分離して効率よく重ね配置することができる。
請求項４によれば、通常横向きに貼付されている商品のバーコードの向きと同じ向きに棚札シートを配置することで、小さい面積内に二つのシート（ラベル）を効率よく位置させることができる。
【００１５】
更に、請求項５記載の構成により、商品シートを電子棚札から除去することで棚札シートが露出するようになるので、電子棚札を商品陳列棚から取り外すことなく、商品陳列棚の位置にて商品と電子棚札とをリンク付けする作業が可能になり、リンク付けさえすれば新たな商品の商品シートも発行されるので操作性が良くなる。
【発明を実施するための最良の形態】
【００１６】
以下、本発明の実施の一例を図面に基づいて説明する。
図１は、電子棚札システムを利用した商品販売システムの構成を示すブロック図である。この図１において、電子棚札システムＡは、電子棚札コントローラ（ＰＣ）１と、電子棚札コントローラ１にトランシーバ２を介して無線（赤外線通信等）で接続された複数の電子棚札表示器（以下、電子棚札と称する）３と、アクセスポイント３３を介してＬＡＮにて電子棚札コントローラ１から商品ファイル等の所望のデータを入手及び表示することができる無線携帯端末４と、前記無線携帯端末４と有線又は無線にて通信可能なラベルプリンタ３２と、から構成されている。そして、前記電子棚札システムＡの電子棚札コントローラ１にＰＯＳシステムＢがＬＡＮ接続されている。
【００１７】
ＰＯＳシステムＢは、チェックアウト場に配置され、客の購入商品の登録及び代金積算処理を行う複数台のＰＯＳレジスタ５と、ＰＯＳレジスタ５で使用するＰＬＵファイル（商品ファイル）を記憶すると共にオンラインにリアルタイムでＰＯＳレジスタからの登録商品データ等を累計記憶する店舗サーバ（ＰＣ）６と、ブラウザソフトウェアを搭載し店舗サーバ６が記憶している各種データをブラウザソフトウェアで閲覧するＷＥＢサーバ７とから構成されている。
【００１８】
上記店舗サーバ６及びＷＥＢサーバ７は、マウスやキーボードからなる入力部、画面表示部、記憶装置を備えている、所謂コンピュータシステムである。尚、上記店舗サーバの記憶装置には、商品ファイルＣ（図２参照）、売上実績ファイル等の種々のファイルが格納されている。
【００１９】
上記店舗サーバ６に記憶される商品ファイルＣは、図２に示すように、商品毎に、商品コード、品名、単価等の項目を設定できるようになっている。又、前記店舗サーバ６は、各売り場に設置されるＰＯＳレジスタ５とＬＡＮで接続され、データの授受を行うことができるようになっている。
【００２０】
上記構成からなるＰＯＳシステムＢの動作について簡単に説明する。消費者が購入する商品のバーコードをＰＯＳレジスタ５のスキャナーで読み取ると、読み取ったバーコードデータ（商品コード）はＬＡＮを介して店舗サーバ６に送信される。店舗サーバ６は、受信した商品コードによって特定される商品データを商品ファイルから読み出し、読み出した商品データを当該商品コードの送信元であるＰＯＳレジスタ５へ送信すると共に、売上実績ファイルを更新する。商品データを受信したＰＯＳレジスタ５は、商品データを表示すると共に、そのデータに基づいてチェックアウト処理を行う。
尚、店舗サーバ６に格納されている商品ファイルＣ、売上実績ファイル等の種々のファイルは、ＷＥＢサーバ７、電子棚札システムＡをはじめとしてＬＡＮに接続されている他の装置で必要に応じて適宜参照できるようになっている。
【００２１】
次に、電子棚札システムＡを構成する電子棚札３について説明する。
電子棚札３は、図４（ａ）、（ｂ）に示すように、ケース８に、価格等（通常価格、特売価格、割引率等）を表示する液晶表示器９と、赤外線送受信部（通信部）１０が収容され、且つケース８の前面における前記液晶表示器９と並び、該液晶表示器９と重ならない左側のスペースには、前記液晶表示器９に表示される対応商品の品名や商品を識別する商品情報が印字されたバーコード等を印刷した商品ラベル（商品シート）１１と、前記表示器を識別する固有の棚札コードがバーコード印字された棚札ラベル（棚札シート）１２が重なり合うように配置され、その下部にはバッテリ１４が内蔵され、これによって駆動するようになっている。つまり、バッテリ１４の上部に商品ラベル１１と棚札ラベル１２とが重なり合うよう位置している。尚、商品ラベル１１と棚札ラベル１２の重なり配置については、後段で詳細に説明する。
【００２２】
又、上記外観構造の電子棚札３は、図５に示すように、ＣＰＵ１５、ＲＯＭ１６、ＲＡＭ１７、液晶表示器（ＬＣＤ表示部）９、赤外線信号受光センサを有する赤外線送受信部１０、及びＬＥＤランプ１３を備え、バッテリ１４で駆動するようになっている。尚、駆動電源はバッテリに限らず、太陽電池でもよく、その場合はバックアップ用としてリチウム電池等のボタン電池を内蔵する。また、前記ケース８の前面にはＬＥＤランプ１３が装備されている。
【００２３】
前記液晶表示器９は、図４（ａ）に示すように、上部に５桁数値を表示可能な大型の表示部９ａ、左下側の５桁数値を表示可能な小型の表示部９ｂ、及び右下側の３桁数値を表示可能な小型の表示部９ｃから構成される。これら表示部９ａ〜９ｃには、電子棚札コントローラ１から受信した商品情報（商品の値段や値引率など）が表示される。図中の「円」と「割引」は切欠き文字であり、変更できるものではない。
【００２４】
上記構成からなる電子棚札３は、商品陳列棚に陳列されている各商品に夫々対応付けられて配置され、電子棚札コントローラ１から送信されてくる情報（例えば、商品の値段等）をＲＡＭ１７に記憶すると共に、液晶表示器９にリアルタイムに表示し、該情報を受信したらＡＣＫ（acknowledge）信号を電子棚札コントローラ１へ送信する
【００２５】
電子棚札コントローラ１は、通常のパーソナルコンピュータと同等のハードウェアで構成され、例えばＨＤＤ等の記憶素子には電子棚札３を制御する為に、前記した商品ファイルＣと、各商品の商品コードと該商品コードに対応する電子棚札３の棚札コード（棚札ＩＤ）とを対応付けて、図３に示すようなリンクファイルＤが記憶されている。
リンクファイルＤには、商品を識別する例えば８桁のＪＡＮコードと、７桁の数字からなる棚札コード（識別番号）が記憶されている。
又、トランシーバと通信するための通信部を備えている。
そして、商品ファイルＣに記憶されている商品の売価を変更した場合、前記リンクファイルＤを参照し、当該商品コードの棚札コードへ該変更された売価データを棚札コントローラから該当する電子棚札３へ送信される。
【００２６】
又、電子棚札コントローラ１は、アクセスポイント３３を介して無線ＬＡＮにて無線携帯端末４から、商品コードと棚札コードを受信した場合に、リンクファイルＤを参照し、該当する棚札コードに対応する商品コードを上書きするようプログラムが組まれている。該当する棚札コードがリンクファイルＤに記憶されていない場合は、新たに棚札コードと商品コードとをリンクファイルＤに記憶するようになっている。
【００２７】
上記電子棚札コントローラ１は、一般のパーソナルコンピュータと同等のハードウェア構成であり、ＣＰＵ及びメモリ（ＲＯＭ、ＲＡＭ）等からなるコンピュータ本体をはじめ、マウスやキーボード、表示装置を備えている。そして、内蔵或いは外部の記憶装置には、前記リンクファイルＤや、無線携帯端末４から送信されてくる商品コードなどが保存されている。
【００２８】
無線携帯端末４は、アクセスポイント３３を介して電子棚札コントローラ１とＬＡＮ通信し、電子棚札コントローラ１から必要な情報を適時入手することができる。
【００２９】
図６に無線携帯端末の外観を示し、図７にその内部構造を示す。図７において、ＲＯＭ
１８には各種の制御プログラムが記憶されており、ＲＡＭ１９には電子棚札コントローラ１から受信した商品ファイルＣや、スキャナー部２０で読み込んだバーコード情報を格納する。
スキャナー部２０は、商品に貼付されているバーコードや棚札コードのバーコードを読み取り、ＣＰＵ２１へ出力する。
ＣＰＵ２１は、該バーコード情報を、無線交信部２２によりアクセスポイント３３を介してＬＡＮにて電子棚札コントローラ１へ送信する。
無線交信部２２は、アクセスポイント３３を介してＬＡＮにてデータを送受する。即ち、商品コードと棚札コードのバーコードを読み取って出力すると、携帯端末からの出力ということを示す情報と、商品コードと棚札コードと、更に電子棚札コントローラのリンクファイルへデータの書き換えコマンドとを無線ＬＡＮにて電子棚札コントローラへ送信する。
【００３０】
操作部２３は、図６に示すように、複数のキーによって構成されている。
表示部２４は、操作部２３から入力された情報や、無線交信部２２を介して受信した情報等を表示する液晶表示パネルなどによって構成されている。
又、タッチ入力部２５は、タッチペンやペン入力及び手書き入力を可能とするためのものである。尚、このタッチ入力部２５は、前記表示部２４の上層に形成された膜状のもので、タッチペンなどでこの膜に接触することにより、種々の入力操作を行うことができる。  更に、インターフェースを備えることにより、このインターフェースを介して外部の装置、例えばＰＣ、又、新たな商品ラベルを発行するためのラベルプリンタと有線或いは無線で接続するための接続部（不図示）を介してデータの送受信を行うことができる。
ラベルプリンタ３２は、一般的な構造のもので、印字する為に入力された情報をサーマルヘッドにて印字をするものであり、例えば台車などに載せられて店内を移動可能に構成されている。
【００３１】
次に、電子棚札３の前面（液晶表示器の表示面が位置する面）に、商品ラベル１１と棚札ラベル１２を重ねて配置する構成を図面に基づいて説明する。
図４は本願発明の第1実施例を示す図で、電子棚札３のケース８における液晶表示器９と並んだ左側のスペースの略中央位置に、厚さ方向に所定深さを有した横長形態の段差部２６を凹設し、その段差部２６の底面に棚札コードをバーコード印字した棚札ラベル１２を接着固定し、前記段差部２６の上面に前記棚札ラベル１２を覆うように商品ラベル１１を段差部２６の周壁上面に接着固定する。
【００３２】
図８は本願発明の第２実施例を示す図で、電子棚札３のケース８における液晶表示器９と並んだ左側のスペースの略中央位置に棚札ラベル１２を、棚札コードの印字面を上にして配置し、その棚札ラベル１２の表面を透明シート２７で被覆固定し、更に透明シート２７の上面に商品ラベル１１を貼着固定する。この場合、商品ラベル１１は棚札ラベル１２のバーコード印字面に直接接着されていない為、商品ラベル１１を剥離しても棚札ラベル１２の―コード印字面が損傷することはない。尚、棚札ラベル１２はケースに貼着固定、又は透明シート２７の裏面に接着してもよい。
【００３３】
図９は本願発明の第３実施例を示す図で、ケース８に凹設する段差部２６の平面視の大きさを商品ラベル１１と略同じ大きさとし、且つ段差部２６の深さは、該段差部に収容する棚札ラベル１２の厚さと、その棚札ラベル１２の上に載置して該段差部の開口部を閉鎖する透明カバー２８の厚み分とする。それにより、前記透明カバー２８の上面に貼着する商品ラベル１１は、ケース８の表面より突出し、従って商品ラベルを剥離する作業を容易に行うことができる。
【００３４】
図１０（ａ）、（ｂ）は本願発明の第４実施例を示す図で、棚札ラベル１２を収容する段差部２９の平面視形状を、棚札ラベルと略同じ大きさとし、その段差部２９をケース８の側縁より内方に向けて切欠き形成する。そして、前記段差部２９に図９と同様に棚札ラベル１２、透明カバー２８を重ねて配置し、透明カバー２８の上面はケース８の上面と面一に形成する。更に、前記透明カバー２８の上面に、商品のバーコードが印字された商品ラベル１１’を貼着し、透明カバー２８周囲のケース上面には商品名が印字された商品ラベル１１’を貼着する。即ち、商品ラベル１１’は、品名の表示部と、バーコードの表示部が分離されたラベルで、バーコードが印字された商品ラベル１１’を剥離することで棚札ラベル１２が現出する。尚、本実施例においても、商品名とバーコードが1枚のラベルに印字された商品ラベルを接着してもよいことは言うまでもないことである。
即ち、本願発明における商品ラベルは、品名と商品のバーコードとが一枚のラベルに印字されている場合、或いは、品名と商品のバーコードとが別々のラベルに分かれており、それぞれが電子棚札に貼付されている場合、或いは商品の品名のみが印字されたラベルが電子棚札に貼付される場合、或いは商品のバーコードのみが印字されたラベルが電子棚札に貼付される場合、何れの場合も商品ラベルとする。
【００３５】
図１１（ａ）、（ｂ）は本願発明の第５実施例を示す図で、前記商品ラベル１１及び棚札ラベル１２が接着面を備えないシートに形成され、その商品シート１１”及び棚札シート１２”が、電子棚札３におけるケース８の左側の領域に形成した差込孔３０に開口端３０’より挿入し、該開口端３０’は一体に形成した蓋又は別体のテープ等（図示省略）で封止し、商品シート１１”及び棚札シート１２”が飛び出さないようになっている。そして、前記差込孔３０の上部（表面側）は挿入した商品シート１１”又は棚札シート１２”の表示面が前方より確認できるように開口３１されている。開口３１は、そのままでもよいが、該開口に透明部材を嵌め込むなどしてもよい。
上記構成とした場合は、電子棚札３に関連付けられている商品を変更する際の商品シート（商品ラベル）の交換取り付けを、貼着・剥離作業がないため簡便に行うことができる。
尚、商品シート及び棚札シートを電子棚札のケースに対して着脱可能に係止する構成は、図示の構成に限定されず、例えば、シートの四隅をコーナー押えに差し込んで止める方式でもよい。
【００３６】
図１２は本願発明の第６実施例を示す図で、棚札ラベル３４の印字面（棚札バーコードの印字面）を、電子棚札３のケースにおける表面の透明部材３６の裏側（内側）に貼付し、前記透明部材３６の外表面に前記棚札ラベル３４と平面視重なり合うように商品ラベル３５を貼付する。尚、前記棚札ラベル３４の貼付空間は、電子棚札３に内蔵されるバッテリ１４の収納空間で、バッテリ１４を着脱する為の蓋を外し、バッテリ１４を外せばケース表面の透明部材の内側面が現出し、棚札ラベル３４を貼付することができる。この場合は、電子棚札のケースに棚札ラベルを配置するための段差部を設ける必要がない。
【００３７】
次に、既存の商品が陳列されている商品陳列棚の電子棚札に、新たな商品を配置する場合の商品コードと棚札コードとのリンク付け処理を、図１３に基づいて説明する。
棚札コードが印字されている棚札ラベルは、電子棚札に当初から貼着固定されているので、その貼着されている棚札ラベルの棚札コードである棚札バーコードと、新たに発行された商品の商品ラベルに印字された商品コードのバーコードとを読み込んでリンク付けする。
Ｓ１…電子棚札に貼着されている商品ラベルを剥がし、該商品ラベルの下に隠れている棚札ラベルを露出させる。棚札ラベルには棚札コードがバーコード化されて印字されている。
Ｓ２…新たな商品に付されている商品コードと、Ｓ１で露出させた棚札ラベルに印字されている棚札コードのバーコードとを無線携帯端末４のスキャナー部２０で読み取り、該無線携帯端末４のＲＡＭ１９に対応付けして一時記憶する。
Ｓ３…無線携帯端末４をリンクモードにする。実行するモードの選択はメニュー画面より行う。
【００３８】
Ｓ４…無線携帯端末４の送信ボタンを押して、Ｓ２で一時記憶した商品コードと棚札コード、及び該商品コードと棚札コードが対応付けされたデータであることを示すフラグを、無線ＬＡＮを介して電子棚札コントローラ１へ送信する。
Ｓ５…Ｓ４で送信されたデータを受信した電子棚札コントローラ１のＣＰＵ２１（リンク付け手段）は、Ｓ４のフラグ付のデータを受信するとリンクファイルを参照し、送信されてきた棚札コードが記憶されているかを判断し、記憶されている場合には送信されてきた商品コードを対応付けて上書きし記憶する。送信されてきた棚札コードがリンクファイルに記憶されていない場合は、送信されてきた棚札コードと商品コードとを対応付けて該リンクファイルに記憶する。
Ｓ６…電子棚札コントローラ１のＣＰＵ２１（制御手段）はＳ５で記憶した商品コードに基づき、商品ファイルから該当する商品データを読み出し、該読み出された商品データを該無線携帯端末４に送信し、無線携帯端末４はその送信されてきた商品データを受信する。そして、無線携帯端末４は、有線或いは無線にて通信可能な一般的なラベルプリンタ３２に、受信した商品コードから変換した商品のバーコードデータと品名をラベル用紙に印字して発行指示をする（商品ラベルの発行処理の詳細は特開２００４−１６３８１９号公報参照）。
【００３９】
本発明は上記した実施の形態に限定されるものでなく、本発明の要旨を変更しない範囲で、適宜変更可能である。
（１）商品ファイルに棚札コード（７桁の数字）が設定されていてもよい。その場合、リンクファイルを参照するのではなく、商品ファイルを参照するようにする。
（２）商品ラベルは、品名、バーコード、棚札コードが印字されたラベルで説明したがこれに限らず、例えば、品名とバーコードを別々のラベルに印字されて夫々貼付されるようにしてもよく、商品のバーコードが印字されたラベルを剥がすと、棚札ラベルが露出し、棚札コードのバーコードが表出するようにしてもよい。
（３）バーコードの体系は、ＪＡＮコードに限らず、二次元バーコードでもよい。
（４）電子棚札と電子棚札コントローラ１間の通信は、電子棚札コントローラ１からの一方向通信でもよく、この場合電子棚札には受信機能があればよく、送信機能を不要にできる。
（５）電子棚札とトランシーバ間の通信は、赤外線通信に限らず電波等の他の通信手段でもよい。
（６）無線携帯端末と電子棚札コントローラとの通信は、無線ＬＡＮに限らず、電子棚札と電子棚札コントローラとの通信と同じように赤外線通信でもよい。
（７）リンクファイルは電子棚札コントローラ以外の店舗サーバやＷＥＢサーバにも記憶させるようにしてもよい。
（８）無線携帯端末にラベル発行機能を備えるようにしてもよい。
（９）電子棚札の形状は横型に限らず、縦形でもよい。
（１０）棚札ラベルの上に強力な剥離材を塗布（コーティング）し、その棚札ラベルの上に商品ラベルを直接貼付するようにしてもよい。
【図面の簡単な説明】
【００４０】
【図１】本発明の一実施形態による電子棚札システムの概要を示すブロック図。
【図２】商品ファイルの構成例を示す図。
【図３】リンクファイルの構成例を示す図。
【図４】第1実施例を示す図で（ａ）は電子棚札の外観構成を示す一部切欠正面図、（ｂ）は一部切欠拡大側面図。
【図５】電子棚札の電気回路の構成を示すブロック図。
【図６】無線携帯端末の外観構成を示す正面図。
【図７】無線携帯端末の電気回路の構成を示すブロック図。
【図８】第２実施例を示す図で、電子棚札における商品シートと棚札シートの配置構成を示す図。
【図９】第３実施例を示す図で、電子棚札における商品シートと棚札シートの他の配置構成を示す断面図。
【図１０】第４実施例を示す図で、（ａ）は商品ラベルが品名部分とバーコード部分に分離されている構成を示す正面図、（ｂ）は一部切欠拡大側面図。
【図１１】第５実施例を示す図で、（ａ）は商品ラベル及び棚札ラベルがシート形態である場合の配置構成を示す正面図、（ｂ）は要部の拡大断面図。
【図１２】第６実施例を示す図で、棚札ラベルを電子棚札の表面部材の裏側に貼付配置した構成を示す断面図。
【図１３】商品コードと棚札コードとのリンク付け処理の流れを示すフローチャート。
【符号の説明】
【００４１】
Ａ…電子棚札システム              Ｂ…ＰＯＳシステム
Ｃ…商品ファイル                  Ｄ…リンクファイル
１…電子棚札コントローラ          ２…トランシーバ
３…電子棚札                      ４…無線携帯端末
９…液晶表示器                  １０…赤外線送受信部（通信部）
１１…商品ラベル                  １２…棚札ラベル
２６…段差部
【図１】
2008161297.tif 000003
【図２】
2008161297.tif 000004
【図３】
2008161297.tif 000005
【図４】
2008161297.tif 000006
【図５】
2008161297.tif 000007
【図６】
2008161297.tif 000008
【図７】
2008161297.tif 000009
【図８】
2008161297.tif 000010
【図９】
2008161297.tif 000011
【図１０】
2008161297.tif 000012
【図１１】
2008161297.tif 000013
【図１２】
2008161297.tif 000014
【図１３】
2008161297.tif 000015